(57)【要約】【課題】受信したコンテンツのリスト若しくは内部に保存しているコンテンツのリストを表示部に表示する際に、一度に表示するリストの量を減らし、いわゆるページ単位で切り換えて表示していくようにする。【解決手段】受信した若しくは内部に保存しているコンテンツのリストを１ページサイズで複数ページに分割してリスト格納部１５に格納するページ分割手段２１と、装置本体と有線または無線による通信手段２１ａを介して接続されたページ切換手段２１と、ページ切換手段２１の操作に従って表示部１８に表示する分割リストのページを切り換える制御部１２とを備え、前記ページ切換手段２１は、装置本体の近傍に設置する台座部と、この台座部上で回転させる疑似アンテナ部とからなり、前記制御部１２は、疑似アンテナ部の回転操作に従って表示部１８に表示している分割リストのページを切り換える。【選択図】図１
2010224664.tif 000002
【特許請求の範囲】
【請求項１】
受信した若しくは内部に保存しているコンテンツのリストを表示する表示部を備えた再生装置において、
前記表示部の表示画面に表示できるサイズを１ページサイズとするとき、
前記受信した若しくは内部に保存しているコンテンツのリストを前記１ページサイズで複数ページに分割してリスト格納部に格納するページ分割手段と、
前記装置本体とは別に設置され、前記装置本体と有線または無線による通信手段を介して接続されたページ切換手段と、
前記ページ切換手段の操作に従って前記表示部に表示する分割リストのページを切り換える表示切換制御手段とを備え、
前記ページ切換手段は、前記装置本体の近傍に設置する台座部と、この台座部上で回転させる疑似アンテナ部とからなり、
前記表示切換制御手段は、前記疑似アンテナ部の回転操作に従って前記表示部に表示している分割リストのページを切り換えることを特徴とする再生装置。
【請求項２】
請求項１に記載の再生装置において、
前記ページ切換手段は、前記台座部に前記疑似アンテナ部の回転動作を検出する回転動作検出部を備え、
前記表示切換制御手段は、前記回転動作検出部の動作検出信号に基づいて分割リストのページ切り換えを制御することを特徴とする再生装置。
【請求項３】
請求項２に記載の再生装置において、
前記ページ切換手段は、前記疑似アンテナ部の回転方向を検出する回転方向検出部を備え、
前記表示切換制御手段は、前記回転方向検出部の方向検出信号に基づいて分割ページのページアップまたはページダウンを制御することを特徴とする再生装置。
【請求項４】
請求項１ないし請求項３のいずれか１項に記載の記載の再生装置において、
前記ページ分割手段は、前記コンテンツのファイル名に基づいて５０音順にリストを配列し、この配列で１ページサイズに順次分割することを特徴とする再生装置。
【請求項５】
請求項１ないし請求項３のいずれか１項に記載の再生装置において、
前記ページ分割手段は、前記コンテンツの配信日時に基づいて最新のものからリストを配列し、この配列で１ページサイズに順次分割することを特徴とする再生装置。
【請求項６】
請求項１ないし請求項３のいずれか１項に記載の再生装置において、
ユーザによって操作される操作入力手段を備え、
前記ページ分割手段は、前記操作入力手段によって入力されたアーティスト名に基づいて当該アーティストごとにコンテンツのリストを配列し、この配列で１ページサイズに順次分割することを特徴とする再生装置。
【請求項７】
請求項１ないし請求項３のいずれか１項に記載の記載の再生装置において、
前記ページ分割手段は、前記コンテンツのファイル名に基づいて５０音順にリストを配列し、この配列で１ページサイズに順次分割する第１分割機能と、前記コンテンツの配信日時に基づいて最新のものからリストを配列し、この配列で１ページサイズに順次分割する第２分割機能と、前記コンテンツのアーティスト名に基づいて当該アーティストごとにコンテンツのリストを配列し、この配列で１ページサイズに順次分割する第３分割機能とを備え、
前記ページ切換手段の前記台座部に、前記各分割機能のいずれか１つの機能を選択する選択手段が設けられていることを特徴とする再生装置。
【請求項８】
請求項６に記載の再生装置において、
前記選択手段が、それぞれの機能を選択するために個別に設けられた選択ボタン、または回転操作によってそれぞれの機能を選択する回転つまみであることを特徴とする再生装置。
【請求項９】
請求項１ないし請求項７のいずれか１項に記載の再生装置において、
前記コンテンツのリストがネットワーク上に開設されているラジオ局から受信した音情報の番組表であることを特徴とする再生装置。
【発明の詳細な説明】
【技術分野】
【０００１】
本発明は、受信したコンテンツのリスト若しくは内部に保存しているコンテンツのリストを表示する表示部を備えた再生装置に関する。
【背景技術】
【０００２】
近年、ネットワーク上に多くのラジオ局（コンテンツ配信サーバ）が開設されており、これらラジオ局から提供されているコンテンツの数も膨大なものになっている。そして、これらラジオ局からの放送（コンテンツの配信）を受信して再生する再生装置（例えば、インターネットラジオ装置や、インターネットラジオソフトを搭載したパーソナルコンピュータ等）も種々のものが提案されている（例えば、特許文献１，２等参照）。
【０００３】
特許文献１に記載のラジオ装置は、 ネットワークに接続されたサーバに一意に割り当てられたＩＰアドレスを用い、ネットワークを介して音情報を配信するサーバを検索する検索部と、ユーザの操作に応じてＩＰアドレスを設定するアドレス設定部と、アドレス設定部によって設定されたＩＰアドレスと検索部によって検索されたサーバのＩＰアドレスとが不一致の場合に、これらのＩＰアドレスの差に応じた局間音を生成する局間音生成部とを備えた構成となっている。このような構成により、ネットワーク上に開設されたラジオ局の放送をユーザが容易に探し出して受信できるようになっている。
【０００４】
また、特許文献２に記載の情報配信システムは、それぞれ番組コンテンツ情報を配信する複数のインターネットラジオ局サーバからなるインターネットラジオ局と、各ラジオ局サーバからの番組コンテンツ情報の内容を検索するための番組検索情報を有する放送内容検索サーバとを含む情報提供システムに対し、インターネットラジオ装置から、インターネットを介して希望する放送内容を検索するための番組検索要求を行うと、放送内容検索サーバがこれに対応して、検索条件を満たす内容の配信を行うインターネットラジオ局サーバを含む検索結果をインターネットラジオ装置に提供する構成となっている。このような構成により、インターネットラジオ装置は、配信を希望するインターネットラジオ局サーバを容易に見つけ出すことができるようになっている。
【先行技術文献】
【特許文献】
【０００５】
【特許文献１】特開２００２−１５８５９８号公報
【発明の概要】
【発明が解決しようとする課題】
【０００６】
上記特許文献１に記載のラジオ装置では、ユーザによってＩＰアドレスを設定することで、ネットワーク上に開設されたラジオ局の放送を容易に探し出して受信できるようになっている。しかし、受信したラジオ局から送信されてくる番組表を表示する場合、番組表に含まれているコンテンツリストの数が多い場合には、その番組表一覧を表示画面に一度に表示することができない。従って、ユーザは、ラジオ装置の操作部を操作してその番組表を画面上でスクロールする等して、所望するコンテンツを探さなければならないといった問題があった。
【０００７】
また、上記特許文献２記載の情報配信システムでは、インターネットラジオ装置が番組検索要求を行うと、放送内容検索サーバから検索条件を満たすインターネットラジオ局サーバの情報が送信されてくるようになっている。これにより、所望のインターネットラジオ局サーバにアクセスすることで、当該サーバから番組表を受信することができる。しかし、受信した番組表を表示する場合、番組表に含まれているコンテンツリストの数が多い場合には、その番組表一覧を表示画面に一度に表示することができず、従って、ユーザは、インターネットラジオ装置の操作部を操作してその番組表を画面上でスクロールする等して、所望するコンテンツを探さなければならないといった問題があった。
【０００８】
すなわち、上記特許文献１，２に記載のラジオ装置の場合、受信した番組表等のリスト一覧を表示する場合に、リスト一覧を全て表示してスクロール等により順次送っていく必要があり、番組表を見るための操作が煩わしいといった問題があった。また、このようなスクロールによる表示では、スクロールが速過ぎた場合に再生したいコンテンツを見過ごして飛ばしてしまう可能性があるといった問題もあった。さらに、受信した番組表を単に表示するだけでは、自分の再生したいコンテンツがその番組表の中のどこにあるのかを推測して探すことができず、結局は番組表の全てを隅々まで隈なく確認しながら探さなければならないといった問題もあった。
【０００９】
本発明はかかる問題点を解決すべく創案されたものであり、その目的は、受信したコンテンツのリスト若しくは内部に保存しているコンテンツのリストを表示部に表示する際に、一度に表示するリストの量を減らし、いわゆるページ単位で切り換えて表示していくようにすることで、所望するコンテンツのリスト検索を容易にするとともに、昔のアナログ放送でアンテナを回転させてチューニングしたように、疑似アンテナを回転させて上記のページ切り換えを行うことで、ユーザの遊び心を刺激しつつ操作性にも優れた再生装置を提供することにある。
【課題を解決するための手段】
【００１０】
上記課題を解決するため、本発明の再生装置は、受信した若しくは内部に保存しているコンテンツのリストを表示する表示部を備えた再生装置において、前記表示部の表示画面に表示できるサイズを１ページサイズとするとき、前記受信した若しくは内部に保存しているコンテンツのリストを前記１ページサイズで複数ページに分割してリスト格納部に格納するページ分割手段と、前記装置本体とは別に設置され、前記装置本体と有線または無線による通信手段を介して接続されたページ切換手段と、前記ページ切換手段の操作に従って前記表示部に表示する分割リストのページを切り換える表示切換制御手段とを備え、前記ページ切換手段は、前記装置本体の近傍に設置する台座部と、この台座部上で回転させる疑似アンテナ部とからなり、前記表示切換制御手段は、前記疑似アンテナ部の回転操作に従って前記表示部に表示している分割リストのページを切り換えることを特徴としている。
【００１１】
すなわち、本発明によれば、ページ分割手段は、受信した若しくは内部に保存しているコンテンツのリストを１ページサイズで複数ページに分割してリスト格納部に格納し、表示切換制御手段は、ページ切換手段の操作に従って表示部に表示する分割リストのページを切り換えるようになっている。このように、一度に表示するリストの数を１ページサイズに収まるように減らして表示し、その分割ページを順次切り換えて表示することで、所望するコンテンツのリスト検索を漏れなく容易に、かつ、迅速に行うことができる。
【００１２】
また、本発明では、ページ切換手段は、装置本体の近傍に設置する台座部と、この台座部上で回転させる疑似アンテナ部とからなり、この疑似アンテナ部を回転させることによって上記のページ切り換えを行うようになっている。すなわち、疑似アンテナを回転させるという操作は、アナログ放送の電波をより良く捉えるためにアンテナをいろんな方向に回転させて微調整するのと同じような感覚の操作であるため、ユーザにとっては昔懐かしい感覚での操作となり、リスト検索のための操作が楽しくなるといった効果も奏することができる。
【００１３】
また、本発明によれば、前記ページ切換手段は、前記台座部に前記疑似アンテナ部の回転動作を検出する回転動作検出部を備え、前記表示切換制御手段は、前記回転動作検出部の動作検出信号に基づいて分割リストのページ切り換えを制御する構成としている。
【００１４】
疑似アンテナ部は、その回転軸が台座部の中心部に設けられた挿通孔に挿通する形で回転可能に支持されている。回転動作検出部は、例えば台座部の挿通孔を中心として同心円状に所定の間隔（若しくは所定の回転角度）を存して配置された複数個のスイッチ端子部と、疑似アンテナ部の回転軸に設けられた１個の接点端子とからなり、疑似アンテナの回転による回転軸の回転に伴ってこの接点端子が前記スイッチ端子部に順次接触することで、その接触のたびに分割リストのページを切り換える構成とすることができる。
【００１５】
また、本発明によれば、前記ページ切換手段は、前記疑似アンテナ部の回転方向を検出する回転方向検出部を備え、前記表示切換制御手段は、前記回転方向検出部の方向検出信号に基づいて分割ページのページアップまたはページダウンを制御する構成としている。
【００１６】
回転方向検出部は、例えば上記回転動作検出部を構成するスイッチ端子部を第１端子と第２端子の２つの端子の組で構成する。そして、表示切換制御手段は、接点端子が第１端子に接触後に第２端子に接触した場合（すなわち、接点端子が第１端子に接触したことを示す第１信号を受信直後に、接点端子が第２端子に接触したことを示す第２信号を受信した場合）には、例えば回転軸が右方向に回転していると判定し、接点端子が第２端子に接触後に第１端子に接触した場合（すなわち、接点端子が第２端子に接触したことを示す第２信号を受信直後に、接点端子が第１端子に接触したことを示す第１信号を受信した場合）には、回転軸が左方向に回転していると判定することで、疑似アンテナの回転方向を検出することができる。従って、表示切換制御手段は、この第１信号と第２信号の検出順を確認することで、分割ページのページアップまたはページダウンを制御することができる。例えば、右回転と判定したときにはページアップし、左回転と判定した場合にはページダウンする。
【００１７】
また、本発明では、前記ページ分割手段は、前記コンテンツのファイル名に基づいて５０音順にリストを配列し、この配列で１ページサイズに順次分割するように構成してもよい。
【００１８】
このような構成とすれば、コンテンツのリストを５０音順に配列することで、ユーザは例えば検索したいコンテンツのファイル名からそのコンテンツがリストのどのページにあるのかを特定することができるので、ファイルの検索をより迅速に行うことが可能となる。
【００１９】
また、本発明では、前記ページ分割手段は、前記コンテンツの配信日時に基づいて最新のものからリストを配列し、この配列で１ページサイズに順次分割するように構成してもよい。
【００２０】
このような構成とすれば、コンテンツの配信日時順に配列することで、例えば最新に配信されたコンテンツを検索したい場合には、分割リストの１ページ目から見ていけばよいので、検索時間を大幅に短縮することができる。
【００２１】
また、本発明では、ユーザによって操作される操作入力手段を備え、前記ページ分割手段は、前記操作入力手段によって入力されたアーティスト名に基づいて当該アーティストごとにコンテンツのリストを配列し、この配列で１ページサイズに順次分割するように構成してもよい。
【００２２】
このような構成とすれば、ユーザは所望するアーティストのページを表示することで、所望するコンテンツを簡単に検索することができる。
【００２３】
また、本発明では、前記ページ分割手段は、前記コンテンツのファイル名に基づいて５０音順にリストを配列し、この配列で１ページサイズに順次分割する第１分割機能と、前記コンテンツの配信日時に基づいて最新のものからリストを配列し、この配列で１ページサイズに順次分割する第２分割機能と、前記コンテンツのアーティスト名に基づいて当該アーティストごとにコンテンツのリストを配列し、この配列で１ページサイズに順次分割する第３分割機能とを備え、前記ページ切換手段の前記台座部に、前記各分割機能のいずれか１つの機能を選択する選択手段が設けられた構成としてもよい。ここで、前記選択手段としては、それぞれの機能を選択するために個別に設けられた選択ボタン、または回転操作によってそれぞれの機能を選択する回転つまみとすることができる。
【００２４】
このように、台座部に選択手段を設けることで、リストの配列をユーザが自由に選択することができる。すなわち、ユーザの使用形態に応じて、リスト配列を自由に選択できるので、ユーザにとっては極めて使い勝手のよいリスト表示とすることができる。
【００２５】
なお、上記したコンテンツのリストとは、具体的にはネットワーク上に開設されているラジオ局から受信した音情報の番組表のことである。すなわち、本発明の再生装置は、インターネットラジオ装置や、インターネットラジオソフトを搭載したパーソナルコンピュータ等のことである。
【発明の効果】
【００２６】
本発明によれば、一度に表示するリストの数を１ページサイズに収まるように減らして表示し、その分割リストをページ単位で順次切り換えて表示する構成としたので、所望するコンテンツのリスト検索を漏れなく容易に、かつ、迅速に行うことができる。
【００２７】
また、ページ切換手段は、装置本体の近傍に設置する台座部と、この台座部上で回転させる疑似アンテナ部とからなり、この疑似アンテナ部を回転させることによってページ切り換えを行う構成としている。すなわち、疑似アンテナを回転させるという操作は、アナログ放送の電波をより良く捉えるためにアンテナをいろんな方向に回転させて微調整するのと同じような感覚の操作であるため、ユーザにとっては昔懐かしい感覚での操作となり、リスト検索のための操作が楽しくなるといった効果も奏するものである。
【図面の簡単な説明】
【００２８】
【図１】本発明の実施形態に係る再生装置の機能ブロック図である。
【図２】実施形態に係るページ切換手段を備えた再生装置を正面から見た説明図である。
【図３】実施形態に係るページ切換手段の一構成例を示しており、（ａ）は正面から見た説明図、（ｂ）は上から見た平面図である。
【図４】実施形態に係る回転動作検出部の一構成例を示しており、（ａ）は、台座部を正面から見た断面図、（ｂ）は、（ａ）のＡ−Ａ線に沿う平面より見た断面図である。
【図５】実施形態に係る回転方向検出部の構成例を一部拡大して示す平面図である。
【図６】（ａ）は、実施形態に係る選択手段の一例を示す台座部の正面図、（ｂ）は、実施形態に係る選択手段の他の例を示す台座部の正面図である。
【図７】リスト格納部に格納されている番組表を表示部に表示して順次切り換えていく処理動作を示すフローチャートである。
【図８】複数ページの番組表のページ捲りの処理手順を示す説明図である。
【発明を実施するための形態】
【００２９】
以下、本発明の実施形態について、図面を参照して説明する。
【００３０】
図１は、本発明の実施形態に係る再生装置の機能ブロック図である。本実施形態の再生装置としては、インターネットラジオ装置や、インターネットラジオソフトを搭載したパーソナルコンピュータ等、種々の形態のものがあるが、ここではこれらに共通している機能部分の主要部の構成を示している。
【００３１】
本実施形態の再生装置１は、記録媒体であるコンテンツデータベース１１、制御部１２、入出力部１３、記録／再生部１４、リスト格納部１５、出力部１６、操作部１７、表示部１８、及びスピーカ１９を備えている。また、操作部１７には、装置本体とは別に設置され、装置本体の操作部１７と有線または無線による通信手段（通信ケーブル等）２１ａを介して接続されたページ切換手段２１が設けられている。
【００３２】
制御部１２は、上記各部の動作を制御する制御ブロックであり、図示は省略しているが、ＣＰＵ、動作プログラムを格納したＲＯＭ、各種データの保存やプログラム動作時のワークエリアとなるＲＡＭ等により構成されている。
【００３３】
入出力部１３は、図示しないインターネット等のネットワークを介してインターネットラジオ局のコンテンツ配信サーバから番組表やコンテンツをダウンロードする通信部である。また、各インターネットラジオ局の番組表をまとめて提供しているサーバがある場合には、このサーバからこれらの番組表（コンテンツリスト）をダウンロードする通信部でもある。
【００３４】
記録／再生部１４は、入出力部１３から入力された番組表やコンテンツのデータを処理し、番組表をリスト格納部１５に格納するとともに、処理したコンテンツをコンテンツデータベース１１に記録する。コンテンツデータベース１１としては、再生装置の種類にもよるが、ＨＤ（ハードディスク）等の磁気ディスクやＭＤ，ＤＶＤ等の光ディスク系、ＩＣカードや光カード等のカード系、あるいはフラッシュメモリ等の半導体メモリなどがある。また、記録／再生部１４は、制御部１２からの制御により、コンテンツデータベース１１に記録されているコンテンツのデータを読み出して出力部１６へ出力する再生機能も有している。また、記録／再生部１４は、コンテンツデータベース１１に記録するコンテンツのデータをエンコードするエンコード処理や、コンテンツデータベース１１から読み出したコンテンツのデータをデコードするデコード処理を行う機能も有している。
【００３５】
出力部１６は、記録／再生部１４から入力されるコンテンツのデータを処理し、そのコンテンツの映像信号、及び音声信号を生成して出力する。そのため、出力部１６には、映像を表示する表示部１８や音声を送出するスピーカ１９が接続されている。表示部１８は、出力部１６から入力される映像信号に基づく映像を表示する。また、表示部１８は、図示しないＯＳＤ回路を備えており、操作部１７の操作による各種操作画面や後述する番組表も表示する。スピーカ１９は、出力部１６から入力される音声信号に基づく音声を送出する。
【００３６】
制御部１２は、表示部１８の表示画面に表示できるサイズを１ページサイズとするとき、入出力部１３から受信した番組表、若しくはコンテンツデータベース１１に保存している番組表を１ページサイズで複数ページに分割してリスト格納部１５に格納するページ分割処理や、ページ切換手段２１の操作に従って表示部１８に表示する番組表のページを切り換える表示切換処理を行う機能を備えている。これらの処理は、図示しないＲＯＭに予め格納されている制御プログラムによって実行される。
【００３７】
リスト格納部１５は、制御部１２によって実行されたページ分割処理によって複数ページに分割された番組表（例えば、番組表１〜番組表１０の１０ページに分割された番組表）を格納する。
【００３８】
操作部１７は、ユーザが入力操作を行う操作ボタンや、図示していないリモコンから送られてきた制御信号を受信するリモコン受信部を備えている。また、再生装置がパーソナルコンピュータである場合には、マウスやキーボード等がこの操作部１７に含まれる。
【００３９】
＜ページ切換手段２１の説明＞
【００４０】
図２ないし図４は、ページ切換手段２１の一構成例を示しており、図２及び図３（ａ）は正面から見た説明図、図３（ｂ）は上から見た平面図、図４（ａ）は正面から見た断面図、図４（ｂ）は同図（ａ）のＡ−Ａ線に沿う断面図である。
【００４１】
本実施形態のページ切換手段２１は、装置本体１ａの近傍に設置する円錐台形状に形成された台座部２２と、この台座部２２上で回転させるループ状に形成された疑似アンテナ部２３とからなり、制御部１２は、この疑似アンテナ部２３の回転操作に従って表示部１８に表示している番組表のページを切り換えるようになっている。
【００４２】
すなわち、ページ切換手段２１は、図４に示すように、台座部２２に疑似アンテナ部２３の回転動作を検出する回転動作検出部３１を備えており、制御部１２は、回転動作検出部３１の動作検出信号に基づいて分割された番組表のページを切り換えるようになっている。
【００４３】
疑似アンテナ部２３は、その回転軸２４が台座部２２の中心部に設けられた挿通孔２５に挿通する形で回転可能に支持されている。台座部２２内には、挿通孔２５を中心として同心円状に水平に配置された絶縁材部からなる円盤状のリング部３２が設けられており、このリング部３２上には、所定の間隔（挿通孔２５を中心とする所定の回転角度）を存して配置された複数個のスイッチ端子部３３が設けられている。一方、疑似アンテナ部２３の回転軸２４には、その周壁面から水平方向に延設された１本の支持杆２６が設けられており、この支持杆２６の先端下部に１個の接点端子３５が設けられている。この接点端子３５は、リング部３２と同じ同心円上に配置されており、対向するスイッチ端子部３３と接触するように設けられている。
【００４４】
すなわち、回転動作検出部３１は、リング部３２上に配置された複数のスイッチ端子部３３，３３，・・・と、疑似アンテナ部２３の回転軸２４に設けられた１個の接点端子３５とで構成されている。これにより、疑似アンテナ２３の回転による回転軸２４の回転に伴って、接点端子３５が各スイッチ端子３３に順次接触することで、その接触信号を検出した制御部１２が、接触信号を検出するたびに分割された番組表のページを切り換えるようになっている。
【００４５】
また、ページ切換手段２１は、疑似アンテナ部２３の回転方向を検出する回転方向検出部を備えており、制御部１２は、回転方向検出部の方向検出信号に基づいて分割ページのページアップまたはページダウンを制御するようになっている。
【００４６】
図５は、回転方向検出部の構成を示している。
【００４７】
回転方向検出部は、上記回転動作検出部３１を構成するスイッチ端子部３３を第１端子３３ａと第２端子３３ｂの２つの端子の組で構成することで実現している。
【００４８】
すなわち、疑似アンテナ部２３（すなわち、回転軸２４）が右方向Ｒ（図３（ｂ）も併せて参照）に回転すると、接点端子３５は、必ず第１端子３３ａに接触後に第２端子３３ｂに接触することになる。一方、疑似アンテナ部２３（すなわち、回転軸２４）が左方向Ｌ（図３（ｂ）も併せて参照）に回転すると、接点端子３５は、必ず第２端子３３ｂに接触後に第１端子３３ａに接触することになる。
【００４９】
従って、制御部１２は、接点端子３５が第１端子３３ａに接触したことを示す第１信号を受信直後に、接点端子３５が第２端子３３ｂに接触したことを示す第２信号を受信した場合には、疑似アンテナ部２３（すなわち、回転軸２４）が右方向Ｒに回転していると判定し、接点端子３５が第２端子３３ｂに接触したことを示す第２信号を受信直後に、接点端子３５が第１端子３３ａに接触したことを示す第１信号を受信した場合には、疑似アンテナ部２３（すなわち、回転軸２４）が左方向Ｌに回転していると判定することができる。
【００５０】
以上により、第１接点３３ａ及び第２接点３３ｂの組み合わせである複数のスイッチ端子部３３，３３，・・・と、疑似アンテナ部２３の回転軸２４に設けられた１個の接点端子３５とによって、疑似アンテナ部２３（すなわち、回転軸２４）の回転動作と回転方向とを検出することが可能となっている。
【００５１】
なお、回転動作検出部３１や回転方向検出部の構成は、上記構成に限定されるものではなく、従来周知の種々の構成を用いることが可能である。例えば、図示は省略するが、上記リング部３２の代わりに円盤の周囲に所定の間隔を存してスリットが形成された回転盤を配置し、この回転盤を介して上下に透過型のフォトカプラを配置し、回転盤のスリット部分がフォトカプラの発光部と受光部の間の光路を横切ることによって回転盤の回転動作と回転方向とを検出するように構成することも可能である。
【００５２】
＜制御部１２でのページ分割処理の説明＞
【００５３】
表示部１８の表示画面に表示できるサイズを１ページサイズとするとき、制御部１２は、例えばネットワーク上のコンテンツ配信サーバ等から受信した番組表を、１ページサイズで複数ページに分割してリスト格納部１５に格納する。
【００５４】
ここで、番組表を複数ページに分割する処理の具体例について説明する。
【００５５】
（具体例１）
【００５６】
本具体例１では、番組表に含まれている各コンテンツのファイル名（具体的には曲名等）に基づいて、「あいうえお・・・」の５０音順に曲名を配列し、この配列で１ページサイズに順次分割するように構成している（これを第１分割機能という）。その結果、例えば分割された番組表１（１ページ目）には頭文字が「あ」行から始まる曲名のコンテンツが列記され、番組表２（２ページ目）には頭文字が「か」行から始まる曲名のコンテンツが列記され、番組表３（３ページ目）には頭文字が「さ」行から始まる曲名のコンテンツが列記され、・・・、番組表１０（１０ページ目）には曲名が「わ」行から始まる曲名のコンテンツが列記された例えば１０ページ分に分割された番組表が作成される。従って、リスト格納部１５には、このように各行から始まる１０ページ分の番組表（分割リスト）が格納されることになる。なお、上記具体例１（第１分割機能）では、各行から始まる曲名のコンテンツの数が、いずれも１ページ分に収まるものとして説明しているが、１ページ分に収まらない場合には、当然、２ページや３ページに分割することになる。
【００５７】
このように、コンテンツのリスト（曲名）を５０音順に配列することで、ユーザは例えば検索したいコンテンツの曲名が分かっている場合には、その曲名から、そのコンテンツが番組表のどのページに含まれているのかを容易に特定することができるので、その曲名が含まれる番組表を素早く表示部１８に表示し、再生したいコンテンツを迅速に探し出して再生することが可能となる。
【００５８】
（具体例２）
【００５９】
本具体例２では、コンテンツの配信日時に基づいて最新のものから番組表を配列し、この配列で１ページサイズに順次分割するように構成している（これを第２分割機能という）。
【００６０】
このようにコンテンツの配信日時順に配列することで、例えば最新に配信されたコンテンツを検索したい場合には、分割された１ページ目の番組表１から見ていけばよいので、検索時間を大幅に短縮することができる。
【００６１】
（具体例３）
【００６２】
本具体例３では、操作部１７によって入力されたアーティスト名に基づいて当該アーティストごとにコンテンツの番組表を配列し、この配列で１ページサイズに順次分割するように構成している（これを第３分割機能という）。
【００６３】
このようにアーティストごとに番組表を配列することで、ユーザは所望するアーティストが含まれる番組表を表示部２８に表示し、所望するアーティストのコンテンツを簡単に探し出すことができる。
【００６４】
ここで、制御部１２でのページ分割処理を、上記で説明した具体例１（第１分割機能）〜具体例３（第３分割機能）のどの形式で行うのかを、ユーザが選択できる選択手段を設けてもよい。
【００６５】
図６は、この選択手段の一例を示している。
【００６６】
図６（ａ）に示す選択手段は、ページ切換手段２１の台座部２２に、上記第１分割機能〜第３分割機能のいずれか１つの機能を個別に選択するための選択ボタン４１ａ〜４１ｃを設けたものである。この選択ボタン４１ａ〜４１ｃは押しボタン式となっている。すなわち、ユーザは、例えば操作部１７の操作によって表示部１８に表示された図示しないメニュー画面からページ分割処理を選択すると、表示部１８にはページ分割を上記第１ないし第３分割機能のどの機能で分割するのかを問い合わせる画面が表示されるので、この状態でユーザが台座部２２に設けられているいずれか１つの選択ボタン４１ａ〜４１ｃを押すことにより、その選択された機能による分割を制御部１２が行うことになる。
【００６７】
また、図６（ｂ）に示す選択手段は、ページ切換手段２１の台座部２２に、上記第１分割機能〜第３分割機能のいずれか１つの機能を回転操作によって選択するための回転つまみ５１を設けたものである。すなわち、この回転つまみ５１には指針５１ａが設けられており、回転つまみ５１の周囲には、指針５１ａが示す３箇所の回転位置に図示しないスイッチ端子が設けられている。そして、台座部２２には、これらスイッチ端子の位置に、各スイッチ端子がオンされたときに実施する分割機能の内容を示す文字表記と各ポイント（マーク）５５ａ，５５ｂ，５５ｃ，５５ｄとが設けられている。
【００６８】
ここで、第１ポイント５５ａは、指針５１ａがこの位置まで回転されたときに、ページ分割処理として第１分割機能が実施されることを示しており、第２ポイント５５ｂは、指針５１ａがこの位置まで回転されたときに、ページ分割処理として第２分割機能が実施されることを示しており、第３ポイント５５ｃは、指針５１ａがこの位置まで回転されたときに、ページ分割処理として第３分割機能が実施されることを示している。また、第４ポイント５５ｄは、ユーザがページ分割処理を選択しない場合の指針５１ａのホームポジション位置であり、指針５１ａがこの位置にある場合には、本装置に予め設定されているデフォルトでのページ分割処理（例えば、受信した番組表を加工することなく、そのままの順番でページ分割処理を行う第４の分割機能）を実施することになる。
【００６９】
このように、台座部２２に選択ボタン４１ａ〜４１ｃや回転つまみ５１等の選択手段を設けることで、番組表の配列条件をユーザが自由に選択することが可能となる。すなわち、ユーザの使用形態に応じて、配列を自由に選択できるので、ユーザにとっては極めて使い勝手のよい番組表の表示形態とすることができる。
【００７０】
＜分割リストの表示処理の説明＞
【００７１】
次に、受信した番組表を上記いずれかの分割手法でページ分割処理し、例えば番組表１から番組表１０までの１０ページに分割してリスト格納部１５に格納した状態において、ユーザが疑似アンテナ部２３を操作して、リスト格納部１５に格納されている番組表を表示部１８に表示して順次切り換えていく処理動作について、図７に示すフローチャートを参照して説明する。この処理動作は、制御部１２が実行する。
【００７２】
ユーザは、操作部１７の操作によって表示部１８に表示された図示しないメニュー画面から、番組表の表示処理を選択すると（ステップＳ１てＹｅｓと判断されると）、表示部１８にはリスト格納部１５に格納された例えば１ページ目の番組表１が表示される（ステップＳ２）。
【００７３】
この状態において、制御部１２は、いずれかのスイッチ端子部３３から接触信号が入力されたか否かの監視を開始する（ステップＳ３）。
【００７４】
この後、ユーザか疑似アンテナ部２３を例えば右方向Ｒにゆっくりと回転させると、回転軸２４に設けられた接点端子３５が右回転方向に隣接する最初のスイッチ端子部３３と接触する（ステップＳ３でＹｅｓと判断される）。
【００７５】
制御部１２は、接点端子３５の接触によるスイッチ端子部３３からの接触信号を受信すると、その接触信号が第１端子３３ａからの第１信号であるか否かを判断する（ステップＳ４）。そして、第１信号である場合（ステップＳ４でＹｅｓと判断された場合）には、次に、その直後に入力される接触信号が第２端子３３ｂからの第２信号であるか否かを判断する（ステップＳ５）。その結果、入力された接触信号が第２端子３３ｂからの第２信号であると判断した場合（ステップＳ５でＹｅｓと判断した場合）には、疑似アンテナ部２３が右方向Ｒに回転されてスイッチ端子部３３に接触したと判断し、この場合には、ページアップ処理を行って（ステップＳ６）、表示部１８に次ページの番組表（すなわち、ここでは２ページ目の番組表２）を表示し（ステップＳ１０）、ステップＳ３に戻る。
【００７６】
一方、ステップＳ４において、接点端子３５の接触によるスイッチ端子部３３からの接触信号が第１端子３３ａからの第１信号でない場合（ステップＳ４でＮｏと判断された場合）には、次に、その接触信号が第２端子３３ｂからの第２信号であるか否かを判断する（ステップＳ７）そして、第２信号である場合（ステップＳ７でＹｅｓと判断された場合）には、次に、その直後に入力される接触信号が第１端子３３ａからの第１信号であるか否かを判断する（ステップＳ８）。その結果、入力された接触信号が第１端子３３ａからの第１信号であると判断した場合（ステップＳ８でＹｅｓと判断した場合）には、疑似アンテナ部２３が左方向Ｌに回転されてスイッチ端子部３３に接触したと判断し、この場合には、ページダウン処理を行って（ステップＳ９）、表示部１８に次ページの番組表を表示し（ステップＳ１０）、ステップＳ３に戻る。
【００７７】
ここで、分割された複数ページの番組表は、図８に示すように、エンドレスでページ捲り（ページの切り換え）ができるようになっている。すなわち、疑似アンテナ部２３が右方向Ｒに回転されることによって順方向Ｐ１にページを切り換えていった場合、1ページから１０ページまでいくと再び１ページに戻るようになっており、疑似アンテナ部２３が左方向Ｌに回転されることによって逆方向Ｐ２にページを切り換えていった場合、１０ページから１ページまでいくと再び１０ページに戻るようになっている。従って、この場合のステップＳ１０での前ページの番組表の表示は、１０ページ目の番組表１０の表示となる。
【００７８】
制御部１２は、疑似アンテナ部２３がさらに回転されて、次に隣接するスイッチ端子部３３に接点端子部３５が接触し、当該スイッチ端子部３３から接触信号を受信するたびに、上記ステップＳ３〜ステップＳ１０の処理を繰り返すことになる。
【００７９】
なお、ステップＳ５及びステップＳ８においてそれぞれＮｏと判断された場合（すなわち、第１信号と第２信号とが連続して検出されなかった場合）、及びステップＳ７においてＮｏと判断された場合（すなわち、スイッチ端子部３３からの接触信号が第１信号でも第２信号でもないと判断された場合）には、何もせずにエラー処理して（例えば、表示部１８に操作中にエラーが発生したことを示すメッセージを表示する等して）、番組表の表示処理を終了する。
【００８０】
上記実施形態では、インターネットラジオ局等から受信した番組表を独自に分割してリスト格納部に格納し、ページ切換手段２１によって表示部１８に表示している番組表のページを切り換える構成について説明しているが、例えばパーソナルコンピュータのデータベースに大量に保存されている文書や図表、動画、静止画等の各種データのファイル名のリストを独自に分割してリスト格納部１５に格納し、ページ切換手段２１によってこれら各データのファイル名リストのページを切り換えていくように構成することも可能である。
【符号の説明】
【００８１】
１  再生装置
１１  コンテンツデータベース
１２  制御部
１３  入出力部
１４  記録／再生部
１５  リスト格納部
１６  出力部
１７  操作部
１８  表示部
１９  スピーカ
２１  ページ切換手段
２１ａ  通信手段（通信ケーブル等）
２２  台座部
２３  疑似アンテナ部
２４  回転軸
２５  挿通孔
２６  指示杆
３１  回転動作検出部
３２  リング部
３３  スイッチ端子部
３３ａ  第１端子
３３ｂ  第２端子
３５  接点端子
４１ａ〜４１ｃ  選択ボタン
５１  回転つまみ
５１ａ  指針
５５ａ〜５５ｄ  ポイント（マーク）
【図１】
2010224664.tif 000003
【図２】
2010224664.tif 000004
【図３】
2010224664.tif 000005
【図４】
2010224664.tif 000006
【図５】
2010224664.tif 000007
【図６】
2010224664.tif 000008
【図７】
2010224664.tif 000009
【図８】
2010224664.tif 000010